(57)【要約】【課題】対象機器の所在範囲を推定することができる機器情報収集装置を提供する。【解決手段】機器情報収集装置５０は、蓄電池パック２０の機器情報を基地局４０を介して取得する第一取得部５２と、基地局４０に関する中継局情報を取得する第二取得部５３と、取得された中継局情報に基づいて蓄電池パック２０の所在範囲を推定する推定部５５と、推定された蓄電池パック２０の所在範囲を示す情報を出力する出力部５６とを備える。【選択図】図１
2019191833.tif 000002
【特許請求の範囲】
【請求項１】
対象機器の機器情報を中継局を介して取得する第一取得部と、
前記中継局に関する中継局情報を取得する第二取得部と、
取得された前記中継局情報に基づいて前記対象機器の所在範囲を推定する推定部と、
推定された前記対象機器の所在範囲を示す情報を出力する出力部とを備える
機器情報収集装置。
【請求項２】
前記推定部は、前記中継局の通信範囲を前記対象機器の所在範囲として推定する
請求項１に記載の機器情報収集装置。
【請求項３】
前記対象機器は、複数のリコール対象機器のうちの１つであり、
前記出力部は、さらに、前記対象機器のリコール対策状況を示す情報を出力する
請求項１または２に記載の機器情報収集装置。
【請求項４】
前記出力部は、さらに、前記対象機器の所在範囲に存在すると推定される、前記複数のリコール対象機器の数を示す情報を出力する
請求項３に記載の機器情報収集装置。
【請求項５】
さらに、
前記対象機器の機器情報が前記対象機器の所在範囲と対応付けて記憶される記憶部を備える
請求項１〜４のいずれか１項に記載の機器情報収集装置。
【請求項６】
前記記憶部において、前記対象機器の機器情報は、当該機器情報の取得日時と対応付けて記憶される
請求項５に記載の機器情報収集装置。
【請求項７】
前記中継局情報は、前記中継局の識別情報であり、
前記機器情報収集装置は、さらに、複数の中継局の識別情報のそれぞれが当該中継局の位置及び通信範囲と対応付けられた中継局位置情報が記憶された記憶部を備え、
前記推定部は、取得された前記中継局情報、及び、記憶された前記中継局位置情報に基づいて前記対象機器の所在範囲を推定する
請求項１〜６のいずれか１項に記載の機器情報収集装置。
【請求項８】
前記中継局は、移動体通信の基地局である
請求項１〜７のいずれか１項に記載の機器情報収集装置。
【請求項９】
前記中継局は、前記機器情報を中継可能な複数の中継局のうちの１つであり、
前記第二取得部は、前記複数の中継局のそれぞれの中継局情報を取得し、
前記推定部は、取得された複数の前記中継局情報に基づいて前記対象機器の所在範囲を推定する
請求項１に記載の機器情報収集装置。
【請求項１０】
前記推定部は、複数の前記中継局情報に基づいて定められる、前記複数の中継局の通信範囲が重複する範囲を前記対象機器の所在範囲として推定する
請求項９に記載の機器情報収集装置。
【請求項１１】
前記複数の中継局のそれぞれは、前記対象機器の機器情報を中継した中継局である
請求項９または１０のいずれか１項に記載の機器情報収集装置。
【請求項１２】
前記複数の中継局には、前記対象機器の機器情報を中継していない中継局が含まれる
請求項９または１０のいずれか１項に記載の機器情報収集装置。
【請求項１３】
さらに、前記対象機器を遠隔制御するための指令を送信する通信部を備える
請求項１〜１２のいずれか１項に記載の機器情報収集装置。
【請求項１４】
請求項１〜１３のいずれか１項に記載の機器情報収集装置と、
前記対象機器とを備え、
前記対象機器は、
前記機器情報が記憶された記憶部と、
前記機器情報を送信する通信部とを備える
機器情報収集システム。
【請求項１５】
対象機器の機器情報を中継局を介して取得し、
前記中継局に関する中継局情報を取得し、
取得された前記中継局情報に基づいて前記対象機器の所在範囲を推定し、
推定された前記対象機器の所在範囲を示す情報を出力する
機器情報収集方法。
【発明の詳細な説明】
【技術分野】
【０００１】
本発明は、機器情報収集装置、機器情報収集システム、及び、機器情報収集方法に関する。
【背景技術】
【０００２】
従来、様々な家電機器の開発が行われている。販売された後の家電機器に不具合が見つかった場合、家電機器の製造メーカは、当該家電機器をリコール対象機器とし、回収などを行う。特許文献１には、プリンタがリコール対象機器であるか否かをプリンタの所有者に通知する技術が開示されている。
【先行技術文献】
【特許文献】
【０００３】
【特許文献１】特開２０１０−１８４４６８号公報
【発明の概要】
【発明が解決しようとする課題】
【０００４】
ところで、製造メーカがリコール対象の機器の所在を特定することは難しい。例えば、ユーザ登録によって機器の所有者の住所を取得する方法によりリコール対象機器の所在を特定することは限界がある。
【０００５】
本発明は、対象機器の所在範囲を推定することができる機器情報収集装置、機器情報収集システム、及び、機器情報収集方法を提供する。
【課題を解決するための手段】
【０００６】
本発明の一態様に係る機器情報収集装置は、対象機器の機器情報を中継局を介して取得する第一取得部と、前記中継局に関する中継局情報を取得する第二取得部と、取得された前記中継局情報に基づいて前記対象機器の所在範囲を推定する推定部と、推定された前記対象機器の所在範囲を示す情報を出力する出力部とを備える。
【０００７】
本発明の一態様に係る機器情報収集システムは、前記機器情報収集装置と、前記対象機器とを備え、前記対象機器は、前記機器情報が記憶された記憶部と、前記機器情報を無線送信する無線通信部とを備える。
【０００８】
本発明の一態様に係る機器情報収集方法は、対象機器の機器情報を中継局を介して取得し、前記中継局に関する中継局情報を取得し、取得された前記中継局情報に基づいて前記対象機器の所在範囲を推定し、推定された前記対象機器の所在範囲を示す情報を出力する。
【発明の効果】
【０００９】
本発明の機器情報収集装置、機器情報収集システム、及び、機器情報収集方法は、対象機器の所在範囲を推定することができる。
【図面の簡単な説明】
【００１０】
【図１】図１は、実施の形態１に係る機器情報収集システムの機能構成を示すブロック図である。
【図２】図２は、蓄電池システムの所在範囲を示す画像の一例である。
【図３】図３は、第一中継局位置情報の一例を示す図である。
【図４】図４は、リコール情報の一例を示す図である。
【図５】図５は、実施の形態１に係る機器情報収集システムの動作例１のシーケンス図である。
【図６】図６は、実施の形態１に係る機器情報収集システムの動作例２のシーケンス図である。
【図７】図７は、複数の基地局の識別情報に基づく蓄電池パックの所在範囲の推定方法の一例を示す図である。
【図８】図８は、実施の形態１に係る機器情報収集システムの動作例３における機器情報収集装置の動作のフローチャートである。
【図９】図９は、実施の形態２に係る機器情報収集システムの機能構成を示すブロック図である。
【図１０】図１０は、第二中継局位置情報の一例を示す図である。
【図１１】図１１は、実施の形態２に係る機器情報収集システムの動作の変形例１のシーケンス図である。
【図１２】図１２は、基地局の識別情報及び通信装置の識別情報に基づく蓄電池パックの所在範囲の推定方法の一例を示す図である。
【図１３】図１３は、実施の形態２に係る機器情報収集システムの動作の変形例２のシーケンス図である。
【発明を実施するための形態】
【００１１】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
（実施の形態１）
［機器情報収集システムの構成］
まず、実施の形態１に係る機器情報収集システムの構成について説明する。図１は、実施の形態１に係る機器情報収集システムの機能構成を示すブロック図である。
【００１４】
実施の形態１に係る機器情報収集システム１００は、蓄電池システム１０から機器情報を収集し、管理することができるシステムである。図１では、機器情報収集システム１００は、蓄電池システム１０と、基地局４０と、機器情報収集装置５０と、表示装置６０とを備える。蓄電池システム１０は、蓄電池パック２０と、充電器３０とを備える。図１では蓄電池システム１０は１つだけ図示されているが、機器情報収集システム１００には、実際には、複数の蓄電池システムが含まれ、複数の蓄電池システムのそれぞれは、蓄電池パックを備える。機器情報収集装置５０は、複数の蓄電池パックの機器情報を収集する。また、図１では、１つの基地局４０が図示されているが、機器情報収集システム１００において複数の基地局が利用される場合もある。
【００１５】
機器情報収集システム１００は、基地局４０のカバーエリア（言い換えれば、基地局４０の通信範囲）を蓄電池システム１０の所在範囲として推定し、推定された所在範囲を図２に示されるような画像として表示することができる。図２は、蓄電池システム１０の所在範囲を示す画像の一例である。
【００１６】
機器情報収集システム１００は、具体的には、リコール対象の蓄電池パックの検索システムとして利用される。例えば、ユーザが地域（具体的には、都道府県及び市町村）を指定する操作を行うと、表示装置６０は、指定した地域の地図（図２の（ａ））を表示する。地図上の基地局の位置には、アイコンが表示される。複数のアイコンのうち基地局４０のアイコンが選択されると、基地局４０のカバーエリアと、当該カバーエリアを所在範囲とするリコール対象の蓄電池パックの台数が表示される。
【００１７】
ここで、ユーザが検索条件指定領域（図２の（ｂ））を通じて絞り込み検索を行うと、蓄電池パックの台数が絞り込まれる。また、検索されたリコール対象の蓄電池パックの詳細情報は、製品情報表示領域（図２の（ｃ））に表示される。
【００１８】
蓄電池パック２０がリコールの対象となった場合には、ユーザは、機器情報収集システム１００を用いて蓄電池パック２０の所在範囲を確認し、当該所在範囲において集中的に蓄電池パック２０を回収するための施策（例えば、広告の頒布など）を行うことができる。以下、このような機器情報収集システム１００を構成する各装置の構成について説明する。
【００１９】
［蓄電池システムの構成］
まず、蓄電池システム１０の構成について説明する。蓄電池システム１０は、蓄電池パック２０と、蓄電池パック２０が着脱自在に接続される充電器３０とを備える。蓄電池システム１０または蓄電池パック２０は、対象機器の一例である。
【００２０】
蓄電池パック２０は、例えば、電動自転車の電源として用いられる略直方体状のバッテリモジュールである。蓄電池パック２０は、具体的には、バッテリ２１と、蓄電池制御部２２と、機器情報記憶部２３とを備える。
【００２１】
バッテリ２１は、蓄電池パック２０が充電器３０に電気的に接続された状態で、充電器３０が備える充電回路３２によって充電される蓄電池（言い換えれは、二次電池）である。バッテリ２１は、例えば、リチウムイオン電池などの二次電池である。
【００２２】
蓄電池制御部２２は、蓄電池パック２０が充電器３０に電気的に接続された状態で、充電器３０が備える制御部３３と通信を行う。蓄電池制御部２２は、例えば、マイクロコンピュータによって実現されるが、プロセッサまたは専用回路によって実現されてもよい。
【００２３】
機器情報記憶部２３は、蓄電池システム１０の機器情報として、蓄電池パック２０の識別情報、及び、製造年月日（言い換えれば、製造ロット）などが記憶される記憶装置である。また、機器情報記憶部２３には、蓄電池制御部２２によって実行される蓄電池パック２０の制御プログラムも記憶される。機器情報記憶部２３は、例えば、半導体メモリによって実現される。
【００２４】
充電器３０は、蓄電池パック２０を充電する装置であり、蓄電池パック２０が電気的及び機械的に接続される。充電器３０は、具体的には、接続検知部３１と、充電回路３２と、制御部３３と、無線通信部３４と、記憶部３５とを備える。
【００２５】
接続検知部３１は、充電器３０に蓄電池パック２０が接続されているか否かを検知するセンサである。接続検知部３１は、例えば、蓄電池パック２０が機械的に充電器３０に接続されているか否かを検知するスイッチによって実現される。接続検知部３１は、蓄電池パック２０が電気的に充電器３０に接続されているか否かを検知してもよい。
【００２６】
充電回路３２は、系統電源（図示せず）から供給される交流電力をバッテリ２１の充電に適した直流電力に変換し、制御部３３の制御に基づいてバッテリ２１を充電する。充電回路３２は、ＡＣ−ＤＣコンバータ回路、及び、ＤＣ−ＤＣコンバータ回路などによって実現される。
【００２７】
制御部３３は、接続検知部３１によって充電器３０に蓄電池パック２０が接続されていると検知された場合に、充電回路３２に充電を開始させる制御を行う。また、制御部３３は、接続検知部３１によって充電器３０に蓄電池パック２０が接続されていると検知された場合に、蓄電池制御部２２から機器情報を取得し、取得した機器情報を無線通信部３４に送信させる。つまり、蓄電池パック２０が充電されるごとに、蓄電池パック２０の機器情報が無線送信される。制御部３３は、例えば、マイクロコンピュータによって実現されるが、プロセッサまたは専用回路によって実現されてもよい。
【００２８】
無線通信部３４は、制御部３３の制御に基づいて情報を送信する無線通信回路である。無線通信部３４は、例えば、移動体通信ネットワークを用いた電波通信により、機器情報を機器情報収集装置５０に送信する。また、無線通信部３４は、基地局４０から基地局４０の識別情報を受信し、受信した識別情報を機器情報収集装置５０に送信する。移動体通信ネットワークの通信規格は、例えば、第３世代移動通信システムで用いられる通信規格、または、ＬＴＥ（Ｌｏｎｇ  Ｔｅｒｍ  Ｅｖｏｌｕｔｉｏｎ）で用いられる通信規格である。
【００２９】
記憶部３５は、制御部３３によって実行される充電器３０の制御プログラム等が記憶される記憶装置である。記憶部３５には、機器情報が一時的に記憶されてもよい。記憶部３５は、例えば、半導体メモリなどによって実現される。
【００３０】
［基地局、機器情報収集装置、及び、表示装置の構成］
基地局４０は、移動体通信の基地局であり、機器情報を中継する中継局の一例である。基地局４０は、充電器３０によって中継局として使用される際に、基地局４０の識別情報を充電器３０に提供する。基地局４０の識別情報は、中継局情報の一例である。
【００３１】
機器情報収集装置５０は、基地局４０を介して蓄電池パック２０の機器情報を収集し、管理する装置である。機器情報収集装置５０は、例えば、サーバ装置として実現される。機器情報収集装置５０は、具体的には、通信部５１と、情報処理部５４と、記憶部５７と、操作受付部５８とを備える。
【００３２】
通信部５１は、基地局４０と通信を行う通信回路である。図１では詳細には図示されないが、基地局４０及び機器情報収集装置５０の間にはゲートウェイ機器などが介在する。通信部５１は、インターネット等の広域通信ネットワークに対応する、有線通信回路または無線通信回路である。通信部５１は、具体的には、第一取得部５２及び第二取得部５３を備える。第一取得部５２は、充電器３０によって送信される蓄電池パック２０の機器情報を基地局４０を介して取得する。第二取得部５３は、充電器３０によって送信される基地局４０の識別情報を取得する。
【００３３】
情報処理部５４は、蓄電池パック２０の機器情報の収集及び管理に関連する情報処理を行う。情報処理部５４は、例えば、マイクロコンピュータによって実現されるが、プロセッサまたは専用回路によって実現されてもよい。情報処理部５４は、具体的には、推定部５５及び出力部５６を備える。
【００３４】
推定部５５は、第二取得部５３によって取得された基地局４０の識別情報に基づいて蓄電池パック２０の所在範囲を推定する。推定部５５によって推定された蓄電池パック２０の所在範囲は、後述のリコール情報として記憶部５７に記憶される。
【００３５】
出力部５６は、記憶部５７に記憶された情報に基づいて、表示装置６０が画像を表示するために用いる情報を出力する。出力部５６は、例えば、推定部５５によって推定された蓄電池パック２０の所在範囲を示す情報を出力する。また、出力部５６は、蓄電池パック２０の所在範囲に存在すると推定される、複数のリコール対象の蓄電池パックの数を示す情報を出力する。これにより、上記図２の（ａ）に示されるように、表示装置６０は、蓄電池パック２０の所在範囲、及び、当該所在範囲に存在すると推定される複数のリコール対象の蓄電池パックの数を表示することができる。
【００３６】
記憶部５７には、情報処理部５４が情報処理に用いる情報があらかじめ記憶される。記憶部５７には、例えば、基地局４０を含む複数の基地局の識別情報のそれぞれが当該基地局の位置（緯度、経度）、及び、カバーエリア半径と対応付けられた第一中継局位置情報が記憶される。図３は、第一中継局位置情報の一例を示す図である。第一中継局位置情報は、蓄電池パック２０の所在範囲の推定に用いられる。
【００３７】
また、記憶部５７には、第一取得部５２によって取得された蓄電池パック２０の機器情報が記憶される。機器情報は、例えば、他の情報と対応付けてリコール情報として記憶される。図４は、リコール情報の一例を示す図である。図４に示されるように、リコール情報において、複数の蓄電池パックの機器情報（つまり、識別情報、製造年月日）のそれぞれは、リコールＩＤ、リコール対策状況、機器情報の最終取得日時、及び、推定部５５によって推定された当該蓄電池パックの所在範囲と対応付けて記憶される。リコールＩＤは、リコールの内容ごとに付与されるＩＤであり、ある機種の蓄電池パックに対して複数付与される場合もあるし、１つのＩＤが複数機種の蓄電池パックのそれぞれに付与される場合もある。
【００３８】
その他に、記憶部５７には、情報処理部５４が情報処理を行うために実行する制御プログラムなども記憶される。記憶部５７は、具体的には、半導体メモリなどによって実現される。
【００３９】
操作受付部５８は、ユーザの操作を受け付けるユーザインターフェースである。操作受付部５８は、具体的には、キーボードまたはマウスなどのデバイスである。なお、操作受付部５８は、機器情報収集装置５０とは別体の装置として実現されてもよい。
【００４０】
表示装置６０は、出力部によって出力される情報に基づいて画像を表示する。表示装置６０は、例えば、出力部によって出力される蓄電池パック２０の所在範囲を示す情報に基づいて、蓄電池パック２０の所在範囲を示す画像を表示する。表示装置６０は、液晶パネルまたは有機ＥＬパネルなどを表示デバイスとして含むディスプレイである。
【００４１】
［機器情報収集システムの動作例１］
次に、機器情報収集システム１００の動作例１について説明する。図５は、機器情報収集システムの動作例１のシーケンス図である。
【００４２】
蓄電池システム１０に含まれる充電器３０において、接続検知部３１は、蓄電池パック２０及び充電器３０が接続されたことを検知する（Ｓ１１）。制御部３３は、これをトリガとして蓄電池制御部２２と通信し、蓄電池パック２０の機器情報を取得する（Ｓ１２）。また、制御部３３は、複数の基地局の中から機器情報の送信に使用する基地局を選択する処理を行い、選択した基地局４０から基地局４０の識別情報を無線通信部３４を介して取得する（Ｓ１３）。基地局の選択には、既存の各種方法が用いられる。そして、制御部３３は、ステップＳ１２において取得された蓄電池パック２０の機器情報、及び、ステップＳ１３において取得された基地局４０の識別情報を無線通信部３４に基地局４０へ送信させる（Ｓ１４）。なお、ステップＳ１４では、制御部３３は、充電時のエラーの発生状況を示すエラー情報、機器情報記憶部２３に記憶された蓄電池パック２０の制御プログラムのバージョン情報などを無線通信部３４に基地局４０へ送信させてもよい。
【００４３】
無線通信部３４によって送信された、蓄電池パック２０の機器情報及び基地局４０の識別情報は基地局４０によって中継される（Ｓ１５）。なお、詳細は図示されないが、蓄電池パック２０の機器情報及び基地局４０の識別情報は、機器情報収集装置５０によって取得されるまでに、ゲートウェイ機器等の基地局４０以外の中継装置も経由する場合がある。
【００４４】
機器情報収集装置５０の通信部５１は、蓄電池パック２０の機器情報及び基地局４０の識別情報を基地局４０を介して取得する（Ｓ１６）。具体的には、第一取得部５２は、蓄電池パック２０の機器情報を基地局４０を介して取得する。第二取得部５３は、基地局４０に関する中継局情報として、基地局４０の識別情報を取得する。
【００４５】
次に、推定部５５は、取得された基地局４０の識別情報に基づいて蓄電池パック２０の所在範囲を推定する（Ｓ１７）。上述のように、基地局４０は、蓄電池システム１０と通信可能である。このため、蓄電池システム１０は、少なくとも基地局４０のカバーエリア内に位置すると考えられる。そこで、推定部５５は、基地局４０のカバーエリア（言い換えれば、通信範囲）を蓄電池パック２０の所在範囲として推定する。
【００４６】
推定部５５は、より具体的には、取得された基地局４０の識別情報、及び、記憶部５７に記憶された第一中継局位置情報に基づいて蓄電池パック２０の所在範囲を推定する。推定部５５は、取得された基地局４０の識別情報、及び、記憶部５７に記憶された第一中継局位置情報を照合することにより、基地局４０の位置（緯度、経度）、及び、カバーエリア半径を特定し、基地局４０の位置を中心としたカバーエリア半径内の範囲を蓄電池パック２０の所在範囲として推定する。
【００４７】
情報処理部５４は、ステップＳ１６において取得された蓄電池パック２０の機器情報を、ステップＳ１７において推定された蓄電池パック２０の所在範囲と対応付けて記憶部５７に記憶する（Ｓ１８）。蓄電池パック２０の機器情報は、例えば、図４に示されるようなリコール情報として記憶される。
【００４８】
その後、操作受付部５８がユーザのリコール対象の蓄電池パックの検索操作を受け付けると（Ｓ１９）、出力部５６は、記憶部５７に記憶されたリコール情報を参照することにより、推定部５５によって推定された蓄電池パック２０の所在範囲を示す情報を出力する（Ｓ２０）。表示装置６０は、出力部５６によって出力される蓄電池パック２０の所在範囲を示す情報に基づいて、蓄電池パック２０の所在範囲を示す画像を表示する（Ｓ２１）。
【００４９】
リコール対象の蓄電池パックの検索操作は、例えば、地域（具体的には、都道府県及び市町村）を指定する操作である。このような操作が行われると、表示装置６０は、指定した地域の地図を表示する。地図上の基地局の位置には、アイコンが表示される。複数のアイコンのうち基地局４０のアイコンが選択されると、基地局４０のカバーエリアと、当該カバーエリアを所在範囲とする蓄電池パックの台数が表示される。このような蓄電池パックの中には、蓄電池パック２０が含まれる。つまり、図２に示されるような画像は、蓄電池パック２０の所在範囲を示す画像であるといえる。
【００５０】
以上説明したように、動作例１では、推定部５５は、基地局４０の識別情報に基づいて定められる、基地局４０のカバーエリアを蓄電池パック２０の所在範囲として推定する。つまり、機器情報収集システム１００は、蓄電池パック２０の所在範囲を推定することができる。ユーザは、リコール発生時に機器情報収集システム１００を用いることで、リコール対象の蓄電池パック２０の所在を特定することができる。なお、このような所在範囲の推定は、蓄電池パック２０が充電器３０に接続されたことをトリガとして自動的に行われるため、蓄電池パック２０の所有者が蓄電池パック２０のユーザ登録などを行う手間が省略される。
【００５１】
蓄電池パック２０の位置を特定する手法として、蓄電池パック２０（蓄電池システム１０）にＧＰＳモジュールを搭載する手法も考えられるが、このようなＧＰＳモジュールを用いた位置計測は環境によっては不可能な場合がある。これに対し、機器情報収集システム１００は、ＧＰＳモジュールによって位置計測が不可能な環境においても所在を推定し得る。
【００５２】
［機器情報収集システムの動作例２］
次に、機器情報収集システム１００の動作例２について説明する。図６は、機器情報収集システムの動作例２のシーケンス図である。
【００５３】
蓄電池システム１０に含まれる充電器３０において、接続検知部３１は、蓄電池パック２０及び充電器３０が接続されたことを検知する（Ｓ１１）。制御部３３は、これをトリガとして蓄電池制御部２２と通信し、蓄電池パック２０の機器情報を取得する（Ｓ１２）。
【００５４】
次に、制御部３３は、無線通信部３４の通信に使用する基地局を選択する処理を行う。このとき、制御部３３は、無線通信部３４が通信可能な複数の基地局のそれぞれから当該基地局の識別情報を無線通信部３４を介して取得する（Ｓ３１）。つまり、制御部３３は、機器情報の中継に使用される基地局４０だけでなく他の基地局の識別情報も取得する。そして、制御部３３は、ステップＳ１２において取得された蓄電池パック２０の機器情報、及び、ステップＳ２１において取得された複数の基地局の識別情報を無線通信部３４に基地局４０へ送信させる（Ｓ３２）。
【００５５】
無線通信部３４によって送信された、蓄電池パック２０の機器情報及び複数の基地局の識別情報は、基地局４０によって中継される（Ｓ３３）。機器情報収集装置５０の通信部５１は、蓄電池パック２０の機器情報及び複数の基地局の識別情報を基地局４０を介して取得する（Ｓ３４）。言い換えれば、第二取得部５３は、複数の基地局のそれぞれの識別情報を中継局情報として取得する。
【００５６】
次に、推定部５５は、ステップＳ３４において取得された複数の基地局の識別情報に基づいて蓄電池パック２０の所在範囲を推定する（Ｓ３５）。上述のように、複数の識別情報に対応する複数の基地局は、いずれも蓄電池システム１０と通信可能である。したがって、推定部５５は、蓄電池システム１０（言い換えれば、蓄電池パック２０）が複数の基地局のカバーエリアの重複する範囲内に位置すると推定することができる。図７は、複数の基地局の識別情報に基づく蓄電池パック２０の所在範囲の推定方法の一例を示す図である。
【００５７】
図７の例では、推定部５５は、第一基地局４１のカバーエリアＡ１と第二基地局４２のカバーエリアＡ２の重複する範囲Ａ３が蓄電池パック２０の所在範囲であると推定することができる。複数の基地局のカバーエリアは、複数の基地局の識別情報、及び、記憶部５７に記憶された第一中継局位置情報を照合することにより特定される。なお、図７の例では、複数の基地局の数は２つであるが、３つ以上であってもよい。
【００５８】
このように、動作例２では、推定部５５は、複数の基地局の識別情報に基づいて定められる、複数の基地局のカバーエリアが重複する範囲を蓄電池パック２０の所在範囲として推定する。これにより、機器情報収集装置５０は、蓄電池パック２０の所在範囲を絞り込むことができる。
【００５９】
［動作例３］
動作例１では、蓄電池パック２０の機器情報は、蓄電池パック２０が充電器３０に接続されるごとに充電器３０から無線送信される。このとき、機器情報の中継に常に基地局４０が選択されるとは限らず、他の基地局が選択される場合がある。つまり、機器情報収集装置５０は、複数回機器情報を取得すると、複数の基地局の識別情報を取得できる場合がある。この場合、動作例２と同様に機器情報収集装置５０の推定部５５は、複数の基地局の識別情報に基づいて蓄電池パック２０の所在範囲を推定することができる。以下、機器情報収集システム１００の動作例３として、このような機器情報収集装置５０の動作について説明する。図８は、機器情報収集装置５０の動作のフローチャートである。
【００６０】
機器情報収集装置５０の通信部５１は、蓄電池パック２０の機器情報及び第一基地局４１の第一識別情報を第一基地局４１を介して取得する（Ｓ４１）。このとき、図５のステップＳ１１〜Ｓ１５と同様の処理が行われる。
【００６１】
次に、通信部５１は、蓄電池パック２０の機器情報及び第一基地局と異なる第二基地局４２の識別情報を第二基地局４２を介して取得する（Ｓ４２）。このときも、図５のステップＳ１１〜Ｓ１５と同様の処理が行われる。
【００６２】
次に、推定部５５は、第一識別情報及び第二識別情報に基づいて蓄電池パック２０の所在範囲を推定する（Ｓ４３）。上記図７に示されるように、推定部５５は、第一識別情報及び第二識別情報に基づいて定められる、第一基地局４１のカバーエリアＡ１及び第二基地局４２のカバーエリアＡ２の重複する範囲Ａ３を蓄電池パック２０の所在範囲として推定する。
【００６３】
このように、動作例３では、推定部５５は、複数の基地局の識別情報に基づいて定められる、複数の基地局のカバーエリアの重複する範囲を蓄電池パック２０の所在範囲として推定する。これにより、機器情報収集装置５０は、蓄電池パック２０の所在範囲を絞り込むことができる。
【００６４】
なお、動作例２では、所在範囲の推定に用いられる識別情報を提供した複数の基地局には、蓄電池パック２０の機器情報を中継していない中継局が含まれるが、動作例３では、所在範囲の推定に用いられる識別情報を提供した複数の基地局のそれぞれは、蓄電池パック２０の機器情報を実際に中継した基地局である。
【００６５】
［補足］
機器情報収集システム１００において、ユーザは、リコール情報を編集することができる。例えば、リコール情報のうちリコール対策状況は、ユーザによって手動で編集される。ユーザは、具体的には、「未対策」、「回収済み」、「対策済み」、及び、「廃棄済み」のいずれかをリコール対策状況として指定することができる。
【００６６】
リコール対策状況は、出力部５６によって出力される蓄電池パック２０のリコール対策状況を示す情報に基づいて、製品情報表示領域（図２の（ｃ））に表示される。これにより、ユーザは、リコール対策状況をリアルタイムに把握することができる。なお、リコール対策状況は、リコール対象の蓄電池パックの検索条件の１つとして用いられる。
【００６７】
また、上述のように、充電時のエラーの発生状況を示すエラー情報、機器情報記憶部２３に記憶された蓄電池パック２０の制御プログラムのバージョン情報などが蓄電池システム１０から送信されれば、機器情報収集装置５０は、エラー情報及びバージョン情報をリコール情報に含めることができる。ユーザは、エラー情報及びバージョン情報を参照することで蓄電池パック２０の状態を把握しながらリコール対策状況を編集することができる。したがって、リコール対策状況の編集ミス（例えば、バージョン情報が古いにもかかわらず、「対策済み」としてしまうなどのミス）の発生が抑制される。
【００６８】
また、動作例３のように機器情報が複数回取得される場合、記憶部５７に記憶されたリコール情報は、例えば、機器情報が取得されるごとに更新される。具体的には、図４に示される機器情報の最終取得日時が更新される。製品情報表示領域（図２の（ｃ））に、最終取得日時が表示されれば、ユーザは、蓄電池パック２０が充電器３０に長期間接続されていないか否かを判定することができる。ユーザは、例えば、最終取得日時が所定期間（例えば、５年）以上前の蓄電池パック２０については実使用されていないと判定し、リコール対策状況をみなし廃棄とすることができる。なお、このような判定、及び、リコール対策状況の変更は、情報処理部５４によって自動的に行われてもよい。
【００６９】
（実施の形態２）
［構成及び動作］
実施の形態１では、蓄電池システム１０が基地局４０と無線通信を行ったが、蓄電池システム１０が基地局４０と無線通信を行うことは必須ではない。例えば、蓄電池システム１０と基地局４０との間に通信装置が介在してもよい。図９は、このような実施の形態２に係る機器情報収集システムの機能構成を示すブロック図である。
【００７０】
図９に示されるように、実施の形態２に係る機器情報収集システム１００ａは、機器情報収集システム１００に通信装置７０が追加された構成を有する。また、機器情報収集システム１００ａは、蓄電池システム１０に代えて、蓄電池システム１０ａを備える。以下、機器情報収集システム１００ａの機器情報収集システム１００との相違点について説明する。
【００７１】
機器情報収集システム１００ａにおいて、蓄電池システム１０ａの充電器３０ａが備える通信部３４ａは、通信装置７０と通信を行う。通信部３４ａは、例えば、通信装置７０と無線通信を行う。通信部３４ａによって行われる無線通信は、移動体通信ネットワークを用いた電波通信よりも比較的近距離の電波通信である。この電波通信は、具体的には、無線ＬＡＮ（Ｌｏｃａｌ  Ａｒｅａ  Ｎｅｔｗｏｒｋ）の規格（例えば、ＩＥＥＥ  ８０２．１１など）に準拠した通信、Ｅｃｈｏｎｅｔ  Ｌｉｔｅ（登録商標）に準拠した通信、Ｂｌｕｅｔｏｏｔｈ（登録商標）に準拠した通信、ＮＦＣ（Ｎｅａｒ  Ｆｉｅｌｄ  Ｃｏｍｍｕｎｉｃａｔｉｏｎ）に準拠した通信などである。
【００７２】
なお、通信部３４ａは、通信装置７０と有線通信を行ってもよい。この場合、通信部３４ａによって行われる有線通信は、具体的には、有線ＬＡＮの規格に準拠した通信、または、電力線搬送通信（ＰＬＣ：Ｐｏｗｅｒ  Ｌｉｎｅ  Ｃｏｍｍｕｎｉｃａｔｉｏｎ）などである。
【００７３】
通信装置７０は、上記のような比較的近距離の電波通信（または有線通信）を用いて蓄電池システム１０ａから蓄電池パック２０の機器情報を取得する。通信装置７０は、例えば、スマートフォンまたはＭ２Ｍルータなどの携帯端末であり、基地局４０と無線通信を行う。通信装置７０は、基地局の選択処理を行い、機器情報、及び、選択した基地局４０の識別情報を、移動体通信ネットワークを用いた電波通信により機器情報収集装置５０に送信することができる。
【００７４】
このように、機器情報収集システム１００ａでは、蓄電池システム１０ａ自身が基地局４０と通信する機能を有していなくても、通信装置７０によって基地局４０の識別情報を機器情報収集装置５０に送信することが可能となる。
【００７５】
また、機器情報収集システム１００ａにおいて、蓄電池システム１０ａ及び通信装置７０が無線通信（具体的には、比較的近距離の電波通信）を行う場合、基地局４０の識別情報に代えて、通信装置７０の識別情報を用いて蓄電池パック２０の所在範囲を推定することも可能である。
【００７６】
例えば、通信装置７０は、蓄電池システム１０ａから取得した蓄電池パック２０の機器情報と通信装置７０の識別情報とを選択された基地局４０に送信する。通信装置７０は、例えば、移動体通信ネットワークを用いた電波通信により、機器情報及び通信装置７０の識別情報を基地局４０に送信する。基地局４０は、機器情報及び通信装置７０の識別情報を中継する。
【００７７】
機器情報収集装置５０の記憶部５７には、通信装置７０を含む複数の通信装置の識別情報のそれぞれが当該通信装置の位置（緯度、経度）、及び、通信範囲と対応付けられた第二中継局位置情報があらかじめ記憶される。図１０は、第二中継局位置情報の一例を示す図である。第二中継局位置情報は、蓄電池パック２０の所在範囲の推定に用いられる。なお、第二中継局位置情報における通信範囲は、上述の比較的近距離の電波通信で通信装置７０が通信可能な範囲である。つまり、第二中継局位置情報における通信範囲は、第一中継局情報におけるカバーエリアよりも狭い。
【００７８】
第一取得部５２は、蓄電池パック２０の機器情報を通信装置７０及び基地局４０を介して取得する。第二取得部５３は、通信装置７０の識別情報を基地局４０を介して取得する。
【００７９】
推定部５５は、より具体的には、取得された通信装置７０の識別情報、及び、記憶部５７に記憶された第二中継局位置情報に基づいて蓄電池パック２０の所在範囲を推定する。推定部５５は、取得された通信装置７０の識別情報、及び、記憶部５７に記憶された第二中継局位置情報を照合することにより、通信装置７０の位置（緯度、経度）、及び、通信範囲を特定し、通信装置７０の位置を中心とした通信範囲を蓄電池パック２０の所在範囲として推定する。
【００８０】
このように、機器情報収集システム１００ａでは、推定部５５は、通信装置７０の識別情報に基づいて定められる、通信装置７０の通信範囲を蓄電池パック２０の所在範囲として推定する。上述のように、通信装置７０の通信範囲は、基地局４０のカバーエリアよりも狭い。したがって、実施の形態２では、機器情報収集装置５０は、基地局４０のカバーエリアを用いる場合よりも、蓄電池パック２０の所在範囲を絞り込むことができる。
【００８１】
なお、実施の形態１の動作例２及び動作例３と同様に、機器情報収集システム１００ａにおいても、第二取得部５３は、複数の通信装置のそれぞれの識別情報を取得してもよい。この場合、推定部５５は、取得された複数の通信装置の識別情報に基づいて蓄電池パック２０の所在範囲を推定する。推定部５５は、より具体的には、複数の通信装置７０の識別情報に基づいて定められる、複数の通信装置７０の通信範囲が重複する範囲を蓄電池パック２０の所在範囲として推定する。
【００８２】
これにより、機器情報収集装置５０は、蓄電池パック２０の所在範囲をさらに絞り込むことができる。
【００８３】
［変形例１］
次に、機器情報収集システム１００ａの動作の変形例１について説明する。図１１は、機器情報収集システム１００ａの動作の変形例１のシーケンス図である。
【００８４】
蓄電池システム１０ａに含まれる充電器３０ａにおいて、接続検知部３１は、蓄電池パック２０及び充電器３０ａが接続されたことを検知する（Ｓ５１）。制御部３３は、これをトリガとして蓄電池制御部２２と通信し、蓄電池パック２０の機器情報を取得する（Ｓ５２）。そして、制御部３３は、ステップＳ５２において取得された蓄電池パック２０の機器情報を通信部３４ａに通信装置７０へ送信させる（Ｓ５３）。
【００８５】
通信装置７０は、蓄電池パック２０の機器情報を取得する（Ｓ５４）。また、通信装置７０は、機器情報の送信に使用する基地局を選択する処理を行い、選択した基地局４０から基地局４０の識別情報を取得する（Ｓ５５）。そして、通信装置７０は、ステップＳ５４において取得された蓄電池パック２０の機器情報、ステップＳ５５において取得された基地局４０の識別情報、及び、通信装置７０自身の識別情報を基地局４０に送信する（Ｓ５６）。
【００８６】
通信装置７０によって送信された、蓄電池パック２０の機器情報、通信装置７０の識別情報、及び、基地局４０の識別情報は、基地局４０によって中継される（Ｓ５７）。なお、詳細は図示されないが、蓄電池パック２０の機器情報、通信装置７０の識別情報、及び、基地局４０の識別情報は、機器情報収集装置５０によって取得されるまでには、ゲートウェイ機器等の基地局４０以外の中継装置も経由する場合がある。
【００８７】
機器情報収集装置５０の通信部５１は、蓄電池パック２０の機器情報、通信装置７０の識別情報、及び、基地局４０の識別情報を基地局４０を介して取得する（Ｓ５８）。具体的には、第一取得部５２は、蓄電池パック２０の機器情報を基地局４０を介して取得する。第二取得部５３は、基地局４０に関する中継局情報として、基地局４０の識別情報を取得する。また、第二取得部５３は、通信装置７０に関する中継局情報として、通信装置７０の識別情報を取得する。
【００８８】
次に、推定部５５は、取得された基地局４０の識別情報、及び、取得された通信装置７０の識別情報に基づいて蓄電池パック２０の所在範囲を推定する（Ｓ５９）。上述のように、蓄電池システム１０ａは通信装置７０と通信可能であり、通信装置７０は基地局４０と通信可能である。したがって、蓄電池パック２０は、基地局４０のカバーエリア内であって、通信装置７０の通信範囲内に位置すると考えられる。
【００８９】
そこで、推定部５５は、基地局４０のカバーエリアと、通信装置７０の通信範囲とが重複する範囲を蓄電池パック２０の所在範囲として推定する。図１２は、基地局の識別情報及び通信装置の識別情報に基づく蓄電池パック２０の所在範囲の推定方法の一例を示す図である。
【００９０】
図１２の例では、推定部５５は、基地局４０のカバーエリアＡ４と通信装置７０の通信範囲Ａ５の重複する範囲Ａ６が蓄電池パック２０の所在範囲であると推定することができる。基地局４０のカバーエリアＡ４は、基地局４０の識別情報及び第一中継局位置情報の照合によって定まり、通信装置７０の通信範囲Ａ５は、通信装置７０の識別情報及び第二中継局位置情報の照合によって定まる。つまり、変形例１では、蓄電池パック２０の所在範囲は、基地局４０の識別情報、及び、通信装置７０の識別情報の併用によって推定される。これにより、機器情報収集装置５０は、蓄電池パック２０の所在範囲を絞り込むことができる。
【００９１】
情報処理部５４は、ステップＳ５８において取得された蓄電池パック２０の機器情報を、ステップＳ５９において推定された蓄電池パック２０の所在範囲と対応付けて記憶部５７に記憶する（Ｓ６０）。蓄電池パック２０の機器情報は、例えば、図４に示されるようなリコール情報として記憶される。図示されないが、以降の処理は、図５及び図６のステップＳ１９〜ステップＳ２１と同様である。
【００９２】
［変形例２］
次に、機器情報収集システム１００ａの動作の変形例２について説明する。図１３は、機器情報収集システム１００ａの動作の変形例２のシーケンス図である。
【００９３】
ステップＳ５１〜ステップＳ５４については変形例１と同様である。ステップＳ５４の後、通信装置７０は、通信装置７０の現在の位置情報を取得する（Ｓ６１）。例えば、通信装置７０がスマートフォンなどの携帯端末であって、ＧＰＳ（Ｇｌｏｂａｌ  Ｐｏｓｉｔｉｏｎｉｎｇ  Ｓｙｓｔｅｍ）モジュールを備える場合、通信装置７０は、ＧＰＳモジュールを用いて現在の位置情報を取得することができる。そして、通信装置７０は、ステップＳ５４において取得された蓄電池パック２０の機器情報、及び、ステップＳ６１において取得された通信装置７０の位置情報を基地局４０に送信する（Ｓ６２）。
【００９４】
通信装置７０によって送信された、蓄電池パック２０の機器情報、及び、通信装置７０の位置情報は、基地局４０によって中継される（Ｓ６３）。なお、詳細は図示されないが、蓄電池パック２０の機器情報、及び、通信装置７０の位置情報は、機器情報収集装置５０によって取得されるまでに、ゲートウェイ機器等の基地局４０以外の中継装置も経由する場合がある。
【００９５】
機器情報収集装置５０の通信部５１は、蓄電池パック２０の機器情報、及び、通信装置７０の位置情報を基地局４０を介して取得する（Ｓ６４）。具体的には、第一取得部５２は、蓄電池パック２０の機器情報を基地局４０を介して取得する。第二取得部５３は、通信装置７０に関する中継局情報として、通信装置７０の位置情報を取得する。
【００９６】
次に、推定部５５は、取得された基地局４０の識別情報、及び、取得された通信装置７０の位置情報に基づいて蓄電池パック２０の所在範囲を推定する（Ｓ６５）。推定部５５は、具体的には、通信装置７０の位置情報が示す位置を蓄電池パック２０の所在範囲（つまり、所在位置）として推定する。なお、推定部５５は、通信装置７０の位置情報が示す位置を中心とした所定範囲を蓄電池パック２０の所在範囲として推定してもよい。
【００９７】
このように、変形例２では、機器情報収集装置５０は、ＧＰＳモジュールによって計測される通信装置７０の位置を蓄電池パック２０の所在位置として推定することができる。
【００９８】
情報処理部５４は、ステップＳ６４において取得された蓄電池パック２０の機器情報を、ステップＳ６５において推定された蓄電池パック２０の所在範囲と対応付けて記憶部５７に記憶する（Ｓ６６）。蓄電池パック２０の機器情報は、例えば、図４に示されるようなリコール情報として記憶される。図示されないが、以降の処理は、図５及び図６のステップＳ１９〜ステップＳ２１と同様である。
【００９９】
（まとめ）
以上説明したように、機器情報収集装置５０は、蓄電池パック２０の機器情報を中継局を介して取得する第一取得部５２と、中継局に関する中継局情報を取得する第二取得部５３と、取得された中継局情報に基づいて蓄電池パック２０の所在範囲を推定する推定部５５と、推定された蓄電池パック２０の所在範囲を示す情報を出力する出力部５６とを備える。中継局は、例えば、基地局４０であり、この場合の中継局情報は、基地局４０の識別情報である。また、中継局は、通信装置７０であってもよく、この場合の中継局情報は、通信装置７０の識別情報または通信装置７０の位置情報である。蓄電池パック２０は、対象機器の一例である。
【０１００】
このような機器情報収集装置５０は、中継局情報を利用して蓄電池パック２０の所在範囲を推定することができる。
【０１０１】
また、例えば、推定部５５は、中継局の通信範囲を蓄電池パック２０の所在範囲として推定する。中継局が基地局４０である場合、通信範囲は、例えば、カバーエリアである。中継局が通信装置７０である場合、通信範囲は、例えば、通信装置７０の電波が届く範囲である。
【０１０２】
このような機器情報収集装置５０は、中継局の通信範囲を蓄電池パック２０の所在範囲として推定することができる。
【０１０３】
また、例えば、蓄電池パック２０は、複数のリコール対象の蓄電池パックのうちの１つであり、出力部５６は、さらに、蓄電池パック２０のリコール対策状況を示す情報を出力する。
【０１０４】
このような機器情報収集装置５０は、蓄電池パック２０のリコール対策状況をユーザに提示することができる。
【０１０５】
また、例えば、出力部５６は、さらに、蓄電池パック２０の所在範囲に存在すると推定される、複数のリコール対象の蓄電池パックの数を示す情報を出力する。
【０１０６】
このような機器情報収集装置５０は、複数のリコール対象の蓄電池パックの数をユーザ提示することができる。
【０１０７】
また、例えば、機器情報収集装置５０は、さらに、蓄電池パック２０の機器情報が蓄電池パック２０の所在範囲と対応付けて記憶される記憶部５７を備える。上記実施の形態１及び２では、蓄電池パック２０の機器情報は、リコール情報として記憶部５７に記憶される。
【０１０８】
このような機器情報収集装置５０は、記憶部５７を参照することにより蓄電池パック２０の所在位置を特定することができる。
【０１０９】
また、例えば、記憶部５７において、蓄電池パック２０の機器情報は、当該機器情報の取得日時と対応付けて記憶される。上記実施の形態１及び２では、蓄電池パック２０の機器情報は、リコール情報として記憶部５７に記憶される。
【０１１０】
このような機器情報収集装置５０は、蓄電池パック２０の機器情報の取得日時をユーザに提示することができる。
【０１１１】
また、例えば、中継局情報は、中継局の識別情報であり、機器情報収集装置５０は、さらに、複数の中継局の識別情報のそれぞれが当該中継局の位置及び通信範囲と対応付けられた中継局位置情報が記憶された記憶部５７を備える。推定部５５は、取得された中継局情報、及び、記憶された中継局位置情報に基づいて蓄電池パック２０の所在範囲を推定する。中継局が基地局４０である場合の中継局位置情報は、第一中継局位置情報である。中継局が通信装置７０である場合の中継局位置情報は、第二中継局位置情報である。
【０１１２】
このような機器情報収集装置５０は、記憶部５７を参照することにより中継局の識別情報から当該中継局の位置及び通信範囲を特定することができる。
【０１１３】
また、例えば、中継局は、移動体通信の基地局４０である。
【０１１４】
このような機器情報収集装置５０は、移動体通信の基地局４０の中継局情報を利用して蓄電池パック２０の所在範囲を推定することができる。
【０１１５】
また、例えば、中継局は、機器情報を中継可能な複数の中継局のうちの１つであり、第二取得部５３は、複数の中継局のそれぞれの中継局情報を取得する。推定部５５は、取得された複数の中継局情報に基づいて蓄電池パック２０の所在範囲を推定する。取得された複数の中継局情報のそれぞれは、基地局の識別情報であってもよいし、通信装置の識別情報であってもよい。取得された複数の中継局情報には、基地局の識別情報及び通信装置の識別情報が少なくとも１つずつ含まれてもよい。
【０１１６】
このような機器情報収集装置５０は、複数の中継局情報を利用して蓄電池パック２０の所在範囲を推定することができる。
【０１１７】
また、例えば、推定部５５は、複数の中継局情報に基づいて定められる、複数の中継局の通信範囲が重複する範囲を蓄電池パック２０の所在範囲として推定する。
【０１１８】
このような機器情報収集装置５０は、蓄電池パック２０の所在範囲を絞り込むことができる。
【０１１９】
また、例えば、複数の中継局のそれぞれは、蓄電池パック２０の機器情報を中継した中継局である。
【０１２０】
このような機器情報収集装置５０は、蓄電池パック２０の機器情報を中継した中継局の中継局情報を利用して、蓄電池パック２０の所在範囲を絞り込むことができる。
【０１２１】
また、例えば、複数の中継局には、蓄電池パック２０の機器情報を中継していない中継局が含まれる。
【０１２２】
このような機器情報収集装置５０は、蓄電池パック２０の機器情報を中継していない中継局の中継局情報を利用して、蓄電池パック２０の所在範囲を絞り込むことができる。
【０１２３】
また、機器情報収集システム１００は、機器情報収集装置５０と、蓄電池システム１０とを備える。蓄電池システム１０は、対象機器の一例である。蓄電池システム１０は、機器情報が記憶された機器情報記憶部２３と、機器情報を送信する無線通信部３４とを備える。無線通信部３４は、通信部の一例である。
【０１２４】
このような機器情報収集システム１００は、中継局情報を利用して蓄電池パック２０の所在範囲を推定することができる。
【０１２５】
また、機器情報収集装置５０などのコンピュータによって実行される機器情報収集方法は、蓄電池パック２０の機器情報を中継局を介して取得し、中継局に関する中継局情報を取得し、取得された中継局情報に基づいて蓄電池パック２０の所在範囲を推定し、推定された蓄電池パック２０の所在範囲を示す情報を出力する。
【０１２６】
このような機器情報収集システム１００は、中継局情報を利用して蓄電池パック２０の所在範囲を推定することができる。
【０１２７】
（その他の実施の形態）
以上、実施の形態について説明したが、本発明は、このような実施の形態に限定されるものではない。
【０１２８】
例えば、蓄電池システムまたは蓄電池パックは、対象機器の一例である。対象機器は、蓄電池システムまたは蓄電池パックに限定されない。例えば、対象機器は、蓄電池パックを備えるその他の機器であってもよい。その他の機器は、具体的には、電動自転車、電動ドライバ、街灯などである。また、対象機器は、蓄電池パックを備えないその他の機器（例えば、家電機器）であってもよい。
【０１２９】
また、機器情報収集システムの用途はリコール対象機器の検索システムに限定されない。機器情報収集システムは、機器情報及び機器の所在範囲を管理するその他のシステムとして利用されてもよい。
【０１３０】
また、機器情報収集システムでは、機器情報収集装置が蓄電池システムを遠隔制御することも可能である。この場合、機器情報収集装置が備える通信部は、蓄電池システムを遠隔制御するための指令を送信する。遠隔制御するための指令は、例えば、リコールの対象の蓄電池システムが備える蓄電池パックの使用を制限する指令である。このような指令は、より具体的には、蓄電池パックを強制放電して充電容量を０％にする指令、または、蓄電池パックの最大充電容量を強制的に下げる（例えば、当初の最大充電容量の３０％までしか充電できなくする）指令である。このような指令を受信したリコール対象の蓄電池システムは、使用が制限されるため安全性が向上される。
【０１３１】
また、上記実施の形態において、特定の処理部が実行する処理を別の処理部が実行してもよい。また、上記実施の形態において、シーケンス図またはフローチャートに示される処理の順序は一例である。複数の処理の順序は変更されてもよいし、複数の処理は並行して実行されてもよい。
【０１３２】
また、上記実施の形態において、蓄電池制御部、制御部、及び、情報処理部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１３３】
また、蓄電池制御部、制御部、及び、情報処理部などの構成要素は、ハードウェアによって実現されてもよい。例えば、蓄電池制御部、制御部、及び、情報処理部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１３４】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、上記実施の形態の機器情報収集システムとして実現されてもよいし、コンピュータよって実行される機器情報収集方法として実現されてもよい。また、本発明は、機器情報収集方法をコンピュータに実行させるためのプログラムとして実現されてもよいし、当該プログラムが記録されたコンピュータ読み取り可能な非一時的な記録媒体として実現されてもよい。
【０１３５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１３６】
１０、１０ａ  蓄電池システム（対象機器）
２０  蓄電池パック（対象機器）
２３  機器情報記憶部
３４  無線通信部（通信部）
３４ａ  通信部
４０  基地局（中継局）
５０  機器情報収集装置
５１  通信部
５２  第一取得部
５３  第二取得部
５５  推定部
５６  出力部
５７  記憶部
７０  通信装置（中継局）
１００、１００ａ  機器情報収集システム
【図１】
2019191833.tif 000003
【図２】
2019191833.tif 000004
【図３】
2019191833.tif 000005
【図４】
2019191833.tif 000006
【図５】
2019191833.tif 000007
【図６】
2019191833.tif 000008
【図７】
2019191833.tif 000009
【図８】
2019191833.tif 000010
【図９】
2019191833.tif 000011
【図１０】
2019191833.tif 000012
【図１１】
2019191833.tif 000013
【図１２】
2019191833.tif 000014
【図１３】
2019191833.tif 000015